(57)【要約】【課題】各種電子機器の操作部に用いられる押圧用突起を備えた可動接点付きシートに関し、押圧用突起の位置ずれを防止でき、良好なクリック感触が得られるものを提供することを目的とする。【解決手段】可動接点３を下面に保持し、その可動接点３の中央部に応じた位置に貫通孔２１Ｂを有するベースシート２１と、その貫通孔２１Ｂを覆うようにベースシート２１上に重なって貼着されたカバーシート２７と、そのカバーシート２７の下面に保持され、下方部分が貫通孔２１Ｂ内に収容される押圧用突起２５とからなる構成のものとした。【選択図】図１
2012256463.tif 000002
【特許請求の範囲】
【請求項１】
可撓性を有した絶縁フィルム製のベースシートと、上方凸形のドーム形状で、上記ベースシートの下面に保持された弾性薄板金属製の可動接点と、上記可動接点の上方位置に応じて配された押圧用突起とを備えた可動接点付きシートであって、上記ベースシートには、上記押圧用突起の配置箇所に応じた位置に貫通孔が設けられており、その貫通孔を覆うように上記ベースシート上に可撓性を有した絶縁フィルム製のカバーシートが重なって貼着され、このカバーシートに上記押圧用突起の上面が保持されて上記押圧用突起の下方部分が上記貫通孔内に位置された構成としたことを特徴とする可動接点付きシート。
【発明の詳細な説明】
【技術分野】
【０００１】
本発明は、各種電子機器の操作部に用いられ、固定接点を備えた配線基板上に装着されてパネルスイッチを構成する可動接点付きシートに関するものである。
【背景技術】
【０００２】
近年、各種電子機器には、固定接点を備えた配線基板上に装着されてパネルスイッチを構成する可動接点付きシートが多く採用されている。
【０００３】
このような従来の可動接点付きシートについて図７〜図１０を用いて説明する。
【０００４】
図７は従来の可動接点付きシートの断面図、図８は同分解斜視図、図９は同実装状態での断面図、図１０は同実装状態での動作状態を示す断面図である。
【０００５】
同図において、１は可撓性を有する絶縁フィルム製のベースシートであり、下面には粘着剤１Ａが塗布されている。３は上方凸形のドーム形状に形成された弾性薄板金属製の可動接点であり、その上面を粘着剤１Ａにより貼着されて、ベースシート１の所定の位置に保持されている。５は樹脂製で略円柱状に形成された押圧用突起で、上面が粘着剤１Ａで保持されて可動接点３の中央部の上面位置にベースシート１との間に挟まれて位置されている。これらで可動接点付きシートが構成されている。
【０００６】
上述した可動接点付きシートは、図９に示すように、携帯電話を代表とする電子機器の配線基板７上に貼着されて使用される。配線基板７には可動接点３の外周部分に対応する外側固定接点８と、可動接点３の中央部分に対応する中央固定接点９がそれぞれ電気的に独立して配されている。そして、可動接点付きシートは、外側固定接点８上に可動接点３の外周下端を載せて、ベースシート１の粘着剤１Ａにより配線基板７上に貼り合わせられてパネルスイッチに構成されている。
【０００７】
上記パネルスイッチの上方には、操作ボタン１４が配されている。この操作ボタン１４は、パネルケース１５のボタン孔から操作部１４Ａを突出させて配され、下方に突出形成された略円柱状の押圧部１４Ｂの下面は、押圧用突起５上に対応するベースシート１上面位置に当接している。
【０００８】
次にその動作について説明する。操作部１４Ａに押圧力を加えると、押圧部１４Ｂからベースシート１及びその下方の押圧用突起５を介して、可動接点３に押圧力が加わる。その可動接点３への押圧力が所定の大きさを超えると、図１０に示すように、クリック感を伴って可動接点３のドーム状の中央部が下方凸形に弾性反転し、中央固定接点９に接触する。これにより、可動接点３を介して外側固定接点８と中央固定接点９間が電気的に導通して、スイッチオンとなる。
【０００９】
操作部１４Ａに加えていた押圧力を解除すると、可動接点３自身の弾性により、可動接点３のドーム状の中央部がクリック感を伴って元の上方凸形の形状に弾性復帰する。これによって、可動接点３の中央部が中央固定接点９から離れて外側固定接点８と中央固定接点９が絶縁状態となり、スイッチオフとなる。
【００１０】
このように従来の可動接点付きシートでは、操作ボタン１４の押圧部１４Ｂからの押圧力を押圧用突起５を介して可動接点３の中央部に伝達する構成としている。つまり、当該可動接点付きシートでは、押圧部１４Ｂの中心位置と可動接点３の中心位置が若干ずれた組み合わせ状態で実装されたとしても、可動接点３の中央部が押圧用突起５を介して常に押圧される構成となるため、実装ずれによるクリック感触のばらつきを抑制できるものであった。
【００１１】
そして、上述した従来の可動接点付きシートにおいては、可動接点３への押圧範囲が可動接点３の中心に近い範囲のみとなる構成とすることが望ましく、より良好なクリック感触が得られるようにするために、押圧用突起５の径の小径化も進んでいる。
【００１２】
なお、この出願の発明に関連する先行技術文献情報としては、例えば、特許文献１、特許文献２が知られている。
【先行技術文献】
【特許文献】
【００１３】
【特許文献１】特開２００６−２１６２９１号公報
【特許文献２】特開２００８−１５９５５３号公報
【発明の概要】
【発明が解決しようとする課題】
【００１４】
しかしながら、上記従来の可動接点付きシートにおいては、電子機器に組み立てられた後の操作回数、所謂打鍵回数の増加によっては、押圧用突起５がベースシート１下面の所定の位置からずれたりするおそれがあった。
【００１５】
本発明は、このような従来の課題を解決するものであり、打鍵回数が増えたとしても、押圧用突起の位置ずれを防止できる可動接点付きシートを提供することを目的とする。
【課題を解決するための手段】
【００１６】
上記目的を達成するために本発明は、以下の構成を有するものである。
【００１７】
本発明は、可撓性を有した絶縁フィルム製のベースシートと、上方凸形のドーム形状で、上記ベースシートの下面に保持された弾性薄板金属製の可動接点と、上記可動接点の上方位置に応じて配された押圧用突起とを備えた可動接点付きシートであって、上記ベースシートには、上記押圧用突起の配置箇所に応じた位置に貫通孔が設けられており、その貫通孔を覆うように上記ベースシート上に可撓性を有した絶縁フィルム製のカバーシートが重なって貼着され、このカバーシートに上記押圧用突起の上面が保持されて上記押圧用突起の下方部分が上記貫通孔内に位置された構成としたことを特徴とする可動接点付きシートとしたものである。
【００１８】
これであれば、カバーシートに保持された押圧用突起が、その下方部分で、上記貫通孔の内側面でも水平方向に対して位置決め及びその移動規制がなされるようにできるため、押圧用突起の径が小さい場合を含んで、打鍵回数が増えても押圧用突起の位置ずれが防止され、良好なクリック感触が得られるものに実現することができるという作用を有する。
【発明の効果】
【００１９】
以上のように本発明によれば、打鍵回数が増えたとしても、押圧用突起の位置ずれを防止できる可動接点付きシートを提供できるという有利な効果が得られる。
【図面の簡単な説明】
【００２０】
【図１】本発明の一実施の形態による可動接点付きシートの断面図
【図２】同分解斜視図
【図３】同実装状態での断面図
【図４】同実装状態での動作状態を示す断面図
【図５】本発明の他の実施の形態による可動接点付きシートの断面図
【図６】同分解斜視図
【図７】従来の可動接点付きシートの断面図
【図８】同分解斜視図
【図９】同実装状態での断面図
【図１０】同実装状態での動作状態を示す断面図
【発明を実施するための形態】
【００２１】
以下、本発明の実施の形態について、図１〜図６を用いて説明する。なお、従来の技術の項で説明した構成と同一構成の部分には同一符号を付して、詳細な説明を簡略化する。
【００２２】
（実施の形態）
図１は本発明の一実施の形態による可動接点付きシートの断面図、図２は同分解斜視図、図３は同実装状態での断面図、図４は同実装状態での動作状態を示す断面図である。
【００２３】
同図において、２１は可撓性を有した絶縁フィルム製のベースシートで、その下面には粘着剤２１Ａが形成されている。可動接点３は、上面を粘着剤２１Ａに貼着されることによって、それぞれベースシート２１下面の所定の位置に保持されている。２２はベースシート２１とほぼ同じ外形で形成されている絶縁フィルム製のスペーサシートであり、粘着剤２１Ａを介してベースシート２１の下面側に貼着されている。このスペーサシート２２には、可動接点３に対応する配置箇所毎に、可動接点３の外周よりも僅かに大きい可動接点収容孔２２Ｂがそれぞれ空いていて、さらに複数の可動接点収容孔２２Ｂ同士を繋いだ溝部２２Ｃが設けられている。そして、スペーサシート２２の下面には粘着剤２２Ａが形成されている。
【００２４】
ここに、ベースシート２１には、可動接点３の中央部に応じた位置に、上下に貫通する貫通孔２１Ｂが設けられている。
【００２５】
そして、２５は略円柱状で例えばＰＥＴ等で形成された樹脂製の押圧用突起であり、その径は従来の押圧用突起５よりも小さい形状のものに形成されている。また、押圧用突起２５は、その下方部分の外周形状が、ベースシート２１の貫通孔２１Ｂ内に挿入可能な形状で形成されている。好ましくは、貫通孔２１Ｂより僅かに小さい相似形の形状であれば特によいが、貫通孔２１Ｂに対し同等よりも小さい形状であればよい。
【００２６】
２７は、可撓性を有した絶縁フィルム製のカバーシートで、その下面に形成された粘着剤２７Ａによって、押圧用突起２５の上面を粘着保持している。そして、その押圧用突起２５の下方部分が貫通孔２１Ｂ内に位置するように、カバーシート２７は、ベースシート２１上面に粘着剤２７Ａで貼り合わせられている。つまり、押圧用突起２５は、可動接点３の中央部上に対応してその下面が可動接点３に当接状態で配置され、下方部分の外周側面がベースシート２１に空けられた貫通孔２１Ｂの内側面でも水平方向に対して位置決め及び移動規制がなされる配設状態になっている。
【００２７】
なお、カバーシート２７は、図１などに示したように、その貼り付け状態で、可動接点３毎に配された押圧用突起２５をそれぞれ上方より覆う部分から全周周囲に垂れ下がり、その外方側でベースシート２１の上面に貼着されている。
【００２８】
そして、このカバーシート２７としては、可動接点３の配置箇所毎に設けられた貫通孔２１Ｂ及びその中に位置する押圧用突起２５をそれぞれ上方より覆い込める外形形状のものであればよいが、ベースシート２１上への粘着剤２７Ａの粘着面積が比較的大きくとれて、貫通孔２１Ｂ内への不要な塵埃などの侵入防止が図れるように、可動接点３よりも僅かに小さい外形のものなどとするのが好ましい。
【００２９】
さらに、押圧用突起２５の上部側の外周側面もカバーシート２７の粘着剤２７Ａで貼着される構成としてもよく、当該構成であれば押圧用突起２５の保持がより強固になされたものにできる。また、熱プレス工法などでカバーシート２７に押圧用突起２５の上部を収容する上方凸形の突出部を加工形成して、その中に押圧用突起２５の上部を収容し、押圧用突起２５の上面及び上部側の外周側面が粘着剤２７Ａで保持される構成としたものや、粘着剤２７Ａが塗布されていないカバーシートを上記形態に加工して、そこに接着剤を塗布する構成などとしても良い。
【００３０】
本発明による可動接点付きシートは、以上のように構成され、従来同様に携帯電話を代表する電子機器の配線基板に装着されて使用される。その実装状態を図３に示す。
【００３１】
同図を用いて実装状態を説明すると、当該可動接点付きシートは、従来と同様に可動接点３を配線基板７上の外側固定接点８と中央固定接点９に対応させるようにして、スペーサシート２２下面の粘着剤２２Ａで、配線基板７上に貼り合わせてパネルスイッチに構成される。パネルスイッチの上方には、操作ボタン１４やパネルケース１５が配され、その操作ボタン１４は操作部１４Ａと押圧部１４Ｂを有していることは従来のものと同様である。そして、操作ボタン１４の下方の略円柱状の押圧部１４Ｂは、押圧用突起２５上に対応するカバーシート２７の上面位置に当接している。
【００３２】
次にその動作について説明する。操作部１４Ａに押圧力を加えると、押圧部１４Ｂからカバーシート２７とその下方に位置する押圧用突起２５を介して、可動接点３の中央部に押圧力が加わる。その可動接点３への押圧力が所定の大きさを超えると、図４に示すように、クリック感を伴って可動接点３のドーム状の中央部が下方凸形に弾性反転し、中央固定接点９に接触する。これにより、可動接点３を介して外側固定接点８と中央固定接点９間が電気的に導通して、スイッチオンとなる。そして、操作部１４Ａに加えていた押圧力を解除すると、可動接点３はクリック感を伴って元の上方凸形の形状に弾性復帰することによって、外側固定接点８と中央固定接点９が絶縁状態となり、スイッチオフとなる。
【００３３】
ここで、当該可動接点付きシートにおいては、動作時においても非動作時においても、押圧用突起２５の上面がカバーシート２７の粘着剤２７Ａによって保持されると共に、押圧用突起２５の下方部分の外周側面が貫通孔２１Ｂの内側面により水平方向への位置規制がなされる構成としているため、可動接点３中心部からの押圧用突起２５の位置ずれなどを防止することができる。
【００３４】
すなわち、当該構成であれば、従来のものに比べ押圧用突起２５の径が小さいものであっても、押圧用突起２５上面での保持に加え、ベースシート２１に設けた貫通孔２１Ｂ内に押圧用突起２５の下方部分を収容させて、貫通孔２１Ｂの内側面で押圧用突起２５の水平方向への移動規制を図った構成としているため、打鍵回数が増えても押圧用突起２５の位置ずれが防止でき、安定して良好なクリック感触が得られるものに実現できる。
【００３５】
ここで、押圧用突起２５の高さ寸法においては、クリック感触が鈍化しない範囲で低い寸法に適宜設定すればよく、そうすれば可動接点付きシートの小型薄型化に有利となる。その際に、図４にも示しているように、動作後の状態で、押圧用突起２５上に対応するカバーシート２７の上面位置が、可動接点３の外周縁近傍に対応する箇所よりも高くなる、つまり当該上面位置が動作後の状態でも可動接点付きシートの最上部位置となるように押圧用突起２５の高さ寸法やカバーシート２７、粘着剤２７Ａの厚み寸法を設定すると、押圧部１４Ｂ下面の外形寸法が大きい場合であっても、安定して可動接点３の中央部のみが押圧されるものに実現できる。
【００３６】
なお、押圧用突起２５の上面部分のカバーシート２７への保持方法については、以上に説明した形態のもののみに限定されることは無い。例えば、押圧用突起２５を、粘着剤が塗布されていないカバーシートに保持させるなどとしてもよく、この場合には、レーザーを用いて押圧用突起２５とカバーシートとを溶着したり、接着剤を用いて保持させた構成とするなどとすればよい。
【００３７】
なお、当該実施の形態によるものでは、押圧用突起２５毎に個々に対応する複数のカバーシート２７を用いた構成を説明したが、それ以外に、カバーシートを、ベースシート２１とほぼ同じ外形に形成したものとして、その一枚のカバーシートで複数の押圧用突起２５を覆った構成としてもよく、それであればカバーシートの貼り付け作業工数を削減することができる。
【００３８】
また、図５及び図６に示すように、上述した実施の形態のものに対してスペーサシート２２を省いた構成としてもよく、次に、その説明を行う。
【００３９】
図５は本発明の他の実施の形態による可動接点付きシートの断面図、図６は同分解斜視図である。
【００４０】
同図において、３１は可撓性を有した絶縁フィルム製のベースシートで、可動接点３の上面はベースシート３１の下面に形成された粘着剤３１Ａで保持されている。ベースシート３１には、可動接点３の中央部に応じた位置に貫通孔３１Ｂが形成されており、その貫通孔３１Ｂを覆うように、カバーシート３７が、その下面に形成された粘着剤３７Ａでベースシート３１の上面に貼り合わせられている。そして、押圧用突起２５は、上面がカバーシート３７の粘着剤３７Ａで保持され、下方部分が貫通孔３１Ｂ内に収容されている。つまり、押圧用突起２５は、その下方部分の外周側面が貫通孔３１Ｂの内側面によって位置決め及び水平方向への位置規制がなされる構成となっている。
【００４１】
なお、当該構成では、カバーシート３７を、上述した一枚ものの構成としており、その外形はベースシート３１とほぼ同じ外形のものとなっている。
【００４２】
さらに、当該ベースシート３１には、可動接点３の外周縁よりも僅かに内側に対応する位置から、隣り合う可動接点３の外周縁よりも僅かに内側に対応する位置までを直線状に所定の幅で繋いで貫通させた溝部３１Ｃが形成されている。この溝部３１Ｃ上の開口部分もカバーシート３７で覆われている。
【００４３】
なお、カバーシート３７の外形を、ベースシート３１とほぼ同じ外形の一枚ものとすると、カバーシート３７の貼り付け作業工数が削減できる上、当該構成では、それに加えて溝部３１Ｃ上もカバーシート３７で同時に覆える構成にできるので好ましいが、上述説明したものと同様に複数のカバーシートで押圧用突起２５をそれぞれ保持する構成などにしても良い。その場合には、溝部３１Ｃ上をその個別のカバーシートで覆うか、または溝部３１Ｃに対応するカバーシートで覆うようにすればよい。
【００４４】
以上のように構成された可動接点付きシートは、上述のものと同様に、ベースシート３１下面の粘着剤３１Ａで配線基板７に貼り合わせてパネルスイッチに構成されるが、その可動接点付きシートの実装位置や、実装されたときの他の構成要素との位置関係などの説明は上述した実施の形態のものと同様であるため、詳細説明などは省略する。
【００４５】
当該構成のものでも、貫通孔３１Ｂの内側面で押圧用突起２５の水平方向への移動規制がなされたものにできるため、打鍵回数が増えても安定して良好なクリック感触が得られるものに実現できる。
【００４６】
なお、上述したいずれの実施の形態のものにおいても、押圧用突起２５は略円柱状の形状で従来のものよりも小さい径のものとしたが、それらは特に限定されることは無く、径が大きいものや、円錐台形状のものとしてもよい。また、多角形形状のものなどとしてもよい。貫通孔２１Ｂにおいても、内側面で押圧用突起の下方部分を水平方向に位置規制できる形状であればよい。
【００４７】
なお、以上には複数の可動接点３を備えたものについて説明したが、可動接点３の数量も限定されることは無く、１個で構成される可動接点付きシートでもよく、さらには可動接点３の形状も上面視円形のものや、それ以外に多角形形状、小判形状、略楕円形状のものなどであってもよい。
【００４８】
また、押圧用突起２５と貫通孔２１Ｂ，３１Ｂとを位置させる箇所は、使用する可動接点のクリック感触が最良となる位置であれば、可動接点の中央部以外であってもよい。
【産業上の利用可能性】
【００４９】
本発明による可動接点付きシートは、打鍵回数が増えたとしても、押圧用突起の位置ずれを防止できるものを提供することができるという有利な効果を有し、各種電子機器の操作部等に有用である。
【符号の説明】
【００５０】
３  可動接点
７  配線基板
８  外側固定接点
９  中央固定接点
１４  操作ボタン
１４Ａ  操作部
１４Ｂ  押圧部
１５  パネルケース
２１、３１  ベースシート
２１Ａ、２２Ａ、２７Ａ、３１Ａ、３７Ａ  粘着剤
２１Ｂ、３１Ｂ  貫通孔
２２  スペーサシート
２２Ｂ  可動接点収容孔
２２Ｃ、３１Ｃ  溝部
２５  押圧用突起
２７、３７  カバーシート
【図１】
2012256463.tif 000003
【図２】
2012256463.tif 000004
【図３】
2012256463.tif 000005
【図４】
2012256463.tif 000006
【図５】
2012256463.tif 000007
【図６】
2012256463.tif 000008
【図７】
2012256463.tif 000009
【図８】
2012256463.tif 000010
【図９】
2012256463.tif 000011
【図１０】
2012256463.tif 000012